(57)【要約】【課題】テレビ放送の受信及び録画再生時の音声をオーディオ装置で楽しむ場合、番組内容によって音声ＥＱを切り替える煩わしさを回避する記録再生装置を提供する。【解決手段】信号処理部３は、テレビ放送受信部１から受けた電子番組情報（ＥＰＧ）中の番組ジャンル情報Ａ、ウエブ等から受けた番組ジャンル情報Ｂ、またはそれらを記録メディア部４に記録し再生したものからの番組ジャンル情報をマイクロコンピュータ２へ出力し、マイクロコンピュータ２はそれに従って音声イコライザ及び増幅部５のイコライザ特性を番組ジャンル情報に対応したものに切り替え、視聴番組の内容に最適の周波数特性の音声をスピーカ６から再生する。【選択図】図１
2005318225.tif 000002
【特許請求の範囲】
【請求項１】
テレビ放送信号及び電子番組表データを受信して映像音声信号と番組ジャンル情報を出力するテレビ放送受信部と、
前記テレビ放送受信部から出力される映像音声信号および番組ジャンル情報またはウェブなどの外部ネットワークから取得される番組ジャンル信号を出力し、それぞれ記録メディア部で記録し再生する信号処理部と、
再生音声の周波数特性を切り替え得るイコライザを有する音声イコライザ及び増幅部と、
前記テレビ放送受信部、信号処理部、音声イコライザ及び増幅部を制御するマイクロコンピュータとを備え、
テレビ放送の受信時または録画再生時に電子番組表または記録メディアから番組ジャンル情報を取り出し、番組ジャンル毎に適正化された音声周波数特性になるよう前記イコライザ及び増幅部のイコライザ特性を自動的に切り替えることを特徴とする記録再生装置。
【発明の詳細な説明】
【技術分野】
【０００１】
本発明は、テレビ放送の映像音声信号を受信および記録再生できる記録再生装置に関し、さらに詳しくは受信視聴時、またはそれを記録して再生するときに、番組内容に最適な音声イコライザ特性を得ることができる記録再生装置に関する。
【背景技術】
【０００２】
近年、ＤＶＤなどの大容量記憶媒体へ映像音声信号を記録再生できるＤＶＤレコーダが普及し始め、再生音声や放送音声をミニコンポなどのオーディオ装置で、より高音質で楽しむ使い方が増えている。
【０００３】
一般にテレビジョン装置の音声再生周波数帯域に比べ、オーディオ装置は低域及び高域の再生周波数帯域が広いので、このような使い方において、特に音楽番組をより高音質で楽しむことができる。
【０００４】
従来、テレビジョン放送特にデジタルハイビジョン放送を高画質の映像、高音質の音声で視聴するために、特許文献１のようなものが知られている。
【特許文献１】特開２００３−１１０９６４号公報
【発明の開示】
【発明が解決しようとする課題】
【０００５】
しかしながら、テレビジョン放送におけるニュース番組などを視聴する場合、低音が耳障りで人の声が聞き取りづらくなる場合があり、視聴する番組内容によって再生音声の周波数特性を手動でイコライザを切り替えなければならないという煩わしさもあった。
【０００６】
この点に関する一つの改善策は、音声多重信号のモードが「ステレオ」なら音楽番組、「二重」なら映画番組、「モノラル」ならニュース番組と決め打ちし、各モードに対応してイコライザを自動切り替えする手法がある。しかし、これでは分類が大きく、例えば「ステレオ」で放送されるバラエティ番組の視聴時に低音及び高音が強調され、人の声が聞き辛くなる場合がある。
【０００７】
一方で衛星放送から地上波放送まで電子番組情報（ＥＰＧ）が運用されており、放送番組内容が「番組ジャンル」で分類されている。例えば、「映画」、「音楽」、「バラエティ」、「ニュース」、「スポーツ」の様に放送番組が詳細にジャンル分けされている。
【０００８】
本発明は、この電子番組表を活用し、テレビジョン放送の音声やその録画再生音声をオーディオ装置で楽しむ場合の聞きづらさを解消し放送番組を快適に視聴することのできる記録再生装置を提供することを目的とする。
【課題を解決するための手段】
【０００９】
本発明の記録再生装置は、上記目的に対応するために、ＥＰＧに含まれる「番組ジャンル」情報を利用して、テレビ放送番組の視聴時或いは録画再生時に「番組ジャンル」情報に応じて音声ＥＱを切り替えることを最も主要な特徴とする。
【００１０】
詳しくは、テレビ放送信号及び電子番組表データを受信して映像音声信号と番組ジャンル情報を出力するテレビ放送受信部と、前記テレビ放送受信部から出力される映像音声信号および番組ジャンル情報またはウェブなどの外部ネットワークから取得される番組ジャンル信号を出力し、それぞれ記録メディア部で記録し再生する信号処理部と、再生音声の周波数特性を切り替え得るイコライザを有する音声イコライザ及び増幅部と、前記テレビ放送受信部、信号処理部、音声イコライザ及び増幅部を制御するマイクロコンピュータとを備え、テレビ放送の受信時または録画再生時に電子番組表または記録メディアから番組ジャンル情報を取り出し、番組ジャンル毎に適正化された音声周波数特性になるよう前記イコライザ及び増幅部のイコライザ特性を自動的に切り替えることを特徴とするものである。
【発明の効果】
【００１１】
本発明の記録再生装置は、テレビ放送受信時には放送波に重畳されているＥＰＧまたはウェブ上のＥＰＧデータから現在の受信番組の「番組ジャンル」を取得し、「番組ジャンル」に対応した音声イコライザを自動的に選択し快適に視聴でき、また、録画時に「番組ジャンル」を番組名などと同様に記録メディアに書き込むことにより、再生時にも「番組ジャンル」を読み出し「番組ジャンル」に対応した音声イコライザを自動的に選択し快適に視聴できるという利点がある。
【発明を実施するための最良の形態】
【００１２】
以下、本発明の一実施形態の記録再生装置について図面を用いて説明する。図１は、本発明の一実施形態における記録再生装置の構成を示すブロック図で、ここではＤＶＤレコーダ搭載のオーディオ装置の例を表す。図２は同じくその音声イコライザの周波数特性の一例を示す周波数特性図、図３は同じく番組ジャンルに対応する音声イコライザ特性の一例を示す対比図である。
【００１３】
図１において、テレビ放送受信部１は番組ジャンル情報Ａを含むテレビ放送信号を受信し、映像音声信号と番組ジャンル情報Ａを信号処理部３へ出力する。
【００１４】
マイクロコンピュータ（以下、マイコン）２はテレビ受信部１の受信制御を行い、信号処理部３からの番組ジャンル情報に従って音声イコライザおよび増幅部５を制御する。マイコン２は、本来テレビ放送の受信のほか、記録再生装置の各部を制御するもので、そのプログラムの一部を追加することにより本発明の機能を追加したものである。
【００１５】
信号処理部３はテレビ放送受信部１から得たＡＶ信号と番組ジャンル情報Ａを受け取り、またウエブ等からジャンル情報Ｂを受け取り、記録メディア４にＡＶ信号と番組ジャンル情報ＡまたはＢを送出して記録させる。
【００１６】
記録メディア部４は、たとえばハードディスクやＤＶＤ−ＲＡＭ、ＤＶＤ−Ｒ等の記録媒体にＡＶ信号と番組ジャンル情報ＡまたはＢを記録し、再生する。
【００１７】
音声イコライザおよび増幅部５は、信号処理部３から出力された、テレビ放送受信部から入力し、または記録メディア部４から再生されたＡＶ信号のうち、音声信号について、マイコン２の制御に基づいて番組ジャンル情報に対応してイコライザを切り替え、増幅してスピーカ６から再生させる。
【００１８】
番組ジャンル情報は電子番組情報（ＥＰＧ）に含まれている。テレビ放送を受信する場合、ＥＰＧから番組を選択する場合とリモコンや本体操作部などで直接番組選択する場合がある。前者の場合、マイクロコンピュータ２はＥＰＧから「番組ジャンル」情報を取り出し、図３の対比表を参照し、番組ジャンル情報に応じて音声イコライザおよび増幅部５の音声イコライザを自動的に切り替える。後者の場合、マイコン２はテレビ放送またはウェブなどからＥＰＧを検索し「番組ジャンル」情報を取り出し、音声イコライザおよび増幅部５の音声イコライザを自動的に切り替える。
【００１９】
テレビ放送を録画する場合、ＥＰＧから録画予約する場合とリモコンなどで直接録画予約設定する場合がある。前者の場合、マイコン２は、ＥＰＧから「番組ジャンル」情報を取り出し、「番組タイトル」と同時に記録メディアに記録する。後者の場合、マイコン２はテレビ放送またはウェブなどからＥＰＧを検索し「番組ジャンル」情報を取り出し、記録メディアに記録する。この番組ジャンル情報の記録は、記録媒体に設けた特定のエリアに記録すればよく、その方法は制約しない。
【００２０】
記録メディアからの再生時、マイコン２は記録メディアに記録された「番組ジャンル」情報を判別し、図３に従って音声イコライザを自動的に切り替える。
【００２１】
ＥＱ１（ｈｅａｖｙ）は、低域と高域を増強した特性であり、映画などの「番組ジャンル」に割り当てている背景は、映画などでは低域及び高域に効果音が多く収録されている場合が多く、低域及び高域を強調して迫力ある音声再生をするためである。
【００２２】
ＥＱ２（ｆｌａｔ）は、低域から高域までフラットな特性であり、音楽などの「番組ジャンル」に割り当てている背景は、オーディオ回路が音楽ＣＤなどの再生に最適に設計されているため、平坦な周波数特性とし、音楽番組を高音質で楽しめるようにするためである。
【００２３】
ＥＱ３（ｓｏｆｔ）は、低域が増強された特性であり、バラエティなどの「番組ジャンル」に割り当てている背景は、刺激音を少なくし画像に集中できるようにするためである。
【００２４】
ＥＱ４（ｖｏｃａｌ）は、低域を減衰させ、中域を増強した特性であり、ニュースなどの「番組ジャンル」に割り当てている背景は、音声帯域を強調しアナウンスを聞き易くするためである。
【００２５】
ＥＱ５（ｃｌｅａｒ）は低域を減衰させ、高域を増強した特性であり、スポーツの「番組ジャンル」に割り当てている背景は、高域を強調する事で現場のライブ感を効果的に出すためである。
【００２６】
このように本実施形態によれば、テレビ放送の受信時及びその録画再生時に「番組ジャンル」情報をマイコンが判別し、最適な音声イコライザを自動的に選択し快適に視聴できる装置をマイコン２のプログラムの一部改良によって実現できた。
【産業上の利用可能性】
【００２７】
以上説明したように本発明の記録再生装置は、テレビ放送受信時には放送波に重畳されているＥＰＧまたはウェブ上のＥＰＧデータから現在の受信番組の「番組ジャンル」を取得し、「番組ジャンル」に対応した音声イコライザを自動的に選択して快適に視聴でき、また、録画時に「番組ジャンル」を番組名などと同様に記録メディアに書き込むことにより、再生時にも「番組ジャンル」を読み出し「番組ジャンル」に対応した音声イコライザを自動的に選択して快適に視聴できるので、ＥＰＧを利用して「番組ジャンル」情報を検索できる全ての映像音声サービスを受信及び録画再生できる記録再生装置に適用できる産業上の利用可能性高いものである。
【図面の簡単な説明】
【００２８】
【図１】本発明の一実施形態における記録再生装置の構成を示すブロック図
【図２】同じくその音声イコライザの周波数特性の一例を示す周波数特性図
【図３】同じく番組ジャンルに対応する音声イコライザ特性の一例を示す対比図
【符号の説明】
【００２９】
１    テレビ放送受信部
２    マイクロコンピュータ
３    信号処理部
４    記録メディア部
５    音声イコライザおよび増幅部
６    スピーカ
【図１】
2005318225.tif 000003
【図２】
2005318225.tif 000004
【図３】
2005318225.tif 000005